(57)【要約】      （修正有）【課題】接地線を使用することなく防護柵を接地できる防護柵の接地用アダプタ、防護柵の接地棒および防護柵の接地構造を提供する。【解決手段】少なくとも下部が地中に埋設される接地棒３の上部を保持する接地棒保持部と防護柵１の主柱１１の下部が装着される主柱装着部と、を備え、前記接地棒３と前記主柱１１とを導通させる防護柵の接地棒用アダプタ２を接地棒３の上部に取り付け、このアダプタ２の主柱装着部に、防護柵１の主柱１１の下部を装着する。これにより、接地線を用いずに、アダプタ２を介して接地棒３と主柱１１とが導通し、防護柵１が接地される。【選択図】図１
2011108457.tif 000002
【特許請求の範囲】
【請求項１】
少なくとも下部が地中に埋設される接地棒の上部を保持する接地棒保持部と、
防護柵の主柱の下部が装着される主柱装着部と、を備え、
前記接地棒と前記主柱とを導通させる、
ことを特徴とする防護柵の接地棒用アダプタ。
【請求項２】
前記主柱装着部に、前記主柱の下部側面を押圧するように接触する押圧接触部を備える、
ことを特徴とする請求項１に記載の防護柵の接地棒用アダプタ。
【請求項３】
少なくとも下部が地中に埋設される棒状の接地部と、
前記接地部の上部に設けられ、防護柵の主柱の下部が装着される主柱装着部と、を備え、
前記主柱装着部に前記主柱の下部が装着された状態で、前記接地部と前記主柱とが導通する、
ことを特徴とする防護柵の接地棒。
【請求項４】
接地棒の少なくとも下部が地中に埋設され、前記接地棒の上部と防護柵の主柱の下部とが導通して接続されている、
ことを特徴とする防護柵の接地構造。
【発明の詳細な説明】
【技術分野】
【０００１】
この発明は、例えば、送電線用鉄塔や変電所などの電気設備の周囲に設けられる防護柵の接地において、接地線を用いずに接地するための、防護柵の接地棒用アダプタ、防護柵の接地棒および防護柵の接地構造に関する。
【背景技術】
【０００２】
送電線用鉄塔や変電所などの電気設備の周囲には、人や動物などが侵入し設備を毀損しないように防護柵が設置されている。その防護柵は、人や動物などが不用意に触れることがあっても安全なように接地工事を施し接地することが義務付けられている。この設置工事には４つの種類があり、例えば送電線用鉄塔や変電所などの電気設備の周囲に設置される導電性の防護柵の接地については、接地抵抗値が１００Ω以下のＤ種接地工事を施すことが規定されている。
【０００３】
従来は、この導電性の防護柵の接地は、地中に打ち込んだ接地棒と接地線の一端を導通して地中で接続し、接地線の他端と防護柵の主柱を地上で導通して接続することで、防護柵を接地していた。
【０００４】
しかしながら、この方法では、防護柵の主柱と接地棒との間で接地線が地上に露出してしまっていた。一方、防護柵が雑草の繁茂する場所に設置されている場合には、電気設備に蔦類などの雑草が絡むことによる事故の防止や美観の維持を目的として、定期的に防護柵の周囲の草刈り作業が行われる。この草刈り作業は刈払い機により行うため、雑草が繁茂して接地線が隠れてしまっていると、刈払い機の回転刃で接地線を誤って切断してしまうという問題があった。
【０００５】
また、接地線の誤切断を防ぐためには、刈払い機による草刈作業時に接地線の存在に注意を払う必要が生じ、草刈り作業の効率を低下させるという問題もあった。
【０００６】
このような接地線の誤切断を防止するために、接地線を保護筐体に差し込むことで接地線の露出を減らし、さらに草刈り作業者に接地線の存在を示し注意を喚起するための表示板を保護筐体の上部に備えることで誤切断を防止する接地線の保護具に関する技術が提案されている（例えば、特許文献１参照。）。
【０００７】
また、支柱管の下端から接地棒が突出し、接続線と接地棒を電気的に接続することで、電線の切断や盗電などの人為的な被害や漏電事故などに対する安全性が高い電線入りフェンスに関する技術も提案されている（例えば、特許文献２参照。）。
【先行技術文献】
【特許文献】
【０００８】
【特許文献１】特開２００６−１４９０３６号公報
【特許文献２】特開２００５−１６３５２４号公報
【発明の概要】
【発明が解決しようとする課題】
【０００９】
しかしながら、特許文献１に記載の接地線の防護具では、接地線を保護筐体の内部に通すことにより誤切断を防ぐことがある程度は可能であるが、なお接地線が露出している箇所があり、完全に誤切断を防止することはできないという問題が残る。さらに、作業者は草刈り作業時に目視で表示部を確認し、注意を払わなければならないという問題があった。
【００１０】
また、特許文献２に記載の支柱管の下部から接地棒を突出させた電線入りフェンスでは、電線は各接続管の内部を通り、接地棒と電気的に接続させるため、接地構造が複雑であるという問題があった。
【００１１】
この発明は、前記の課題を解決し、接地線を使用することなく防護柵を接地できる防護柵の接地棒用アダプタ、防護柵の接地棒および防護柵の接地構造を提供することを目的としている。
【課題を解決するための手段】
【００１２】
前記の課題を解決するために、請求項１の発明は、少なくとも下部が地中に埋設される接地棒の上部を保持する接地棒保持部と、防護柵の主柱の下部が装着される主柱装着部と、を備え、前記接地棒と前記主柱とを導通させる、ことを特徴とする防護柵の接地棒用アダプタである。
【００１３】
この発明によれば、防護柵の接地棒用アダプタの接地棒保持部で、接地棒の上部を保持して接地棒を地中に埋設し、防護柵の接地棒用アダプタの主柱装着部に主柱を装着することにより、主柱と接地棒とが導通される。
【００１４】
請求項２の発明は、請求項１に記載の防護柵の接地棒用アダプタにおいて、前記主柱装着部に、前記主柱の下部側面を押圧するように接触する押圧接触部を備える、ことを特徴とする。
【００１５】
この発明によれば、主柱装着部に設けられた押圧接触部により、主柱と防護柵の接地棒用アダプタとの接触性が高まり、その結果、防護柵の主柱と接地棒との導通性が高まる。
【００１６】
請求項３の発明は、少なくとも下部が地中に埋設される棒状の接地部と、前記接地部の上部に設けられ、防護柵の主柱の下部が装着される主柱装着部と、を備え、前記主柱装着部に前記主柱の下部が装着された状態で、前記接地部と前記主柱とが導通する、ことを特徴とする防護柵の接地棒である。
【００１７】
この発明によれば、接地棒の主柱装着部に、防護柵の主柱を装着することにより、主柱と接地棒の接地部とが導通される。
【００１８】
請求項４の発明は、接地棒の少なくとも下部が地中に埋設され、前記接地棒の上部と主柱の下部とが導通して接続されている、ことを特徴とする防護柵の接地構造である。
【発明の効果】
【００１９】
請求項１に記載の発明によれば、主柱と接地棒とが、防護柵の接地棒用アダプタを介して導通するため、接地線が不要となり、接地線の誤切断を無くし、防護柵周囲の草刈作業の効率化を図ることができる。
【００２０】
請求項２に記載の発明によれば、主柱と接地棒とが、押圧接触部によって、密着して接触するので、導通性を高め、より確実に接地することができる。
【００２１】
請求項３に記載の発明によれば、主柱と接地棒の接地部とが、接地棒の主柱装着部を介して導通するため、接地線が不要となり、接地線の誤切断を無くし、防護柵周囲の草刈作業の効率化を図ることができる。
【００２２】
請求項４に記載の発明によれば、接地線を用いずに主柱と接地棒とが直接導通されるため、接地線の誤切断を無くし、防護柵周囲の草刈作業の効率化を図ることができる。
【００２３】
また、請求項１ないし４に記載の発明によれば、接地線を用いずに、防護柵の主柱と接地棒とを導通させるため、防護柵の主柱の接地が容易となる。
【図面の簡単な説明】
【００２４】
【図１】本発明の実施の形態１に係る接地線を用いない防護柵の接地構造を示す部分断面図である。
【図２】図１の接地構造における防護柵の接地棒用アダプタの断面図である。
【図３】図１の接地構造における防護柵の接地棒用アダプタの平面図である。
【図４】本発明の実施の形態２に係る接地棒の正面図である。
【発明を実施するための形態】
【００２５】
以下、この発明を図示の実施の形態に基づいて説明する。
【００２６】
（実施の形態１）
図１は、この発明の実施の形態１に係る防護柵１の接地構造を示す図である。
【００２７】
防護柵１は、主柱１１と、梁（胴縁）１２と、鉄線１３と、金網１４および有刺鉄線１５とを備え、従来から使用されている防護柵と同等の構成となっている。
【００２８】
すなわち、主柱１１は、導電性の管材で、その下部は地中に埋設するようにして使用される。この主柱１１は、水平方向に所定の間隔をもって配置されている。この主柱１１は、垂直方向に延びるように設置され、その地上部における下側及び上側には、それぞれ水平方向に延びる梁１２が、取り付けられている。この２本の梁１２の間には、複数の鉄線１３が、梁１２と平行になるように、主柱１１に取り付けられている。そして、このような主柱１１と、梁１２および鉄線１３によって、金網１４が支持されている。また、上位の梁１２より上方に突出した主柱１１の上側には、有刺鉄線１５が取り付けられている。そして、主柱１１は、防護柵１の接地棒用アダプタ（以下、「アダプタ」という。）２を介して、接地棒３と導通し接地されるようになっている。
【００２９】
接地棒３は、従来から防護柵１の接地に使用されている既存の接地棒３であり、導電性（例えば、銅。）の丸棒体で、一方の端（先端）が尖った形状に形成されている。また、接地棒３は、後述のように少なくともその下部が地中に埋設され、その上部には、アダプタ２が着脱自在に取り付けられている。
【００３０】
アダプタ２は、導電性（例えば、鉄。）で、図２および図３に示すように、円板形の底部２１を有する概略二重円筒体で、接地棒保持部２２と、主柱装着部２３と、押圧接触部２４とから構成されている。
【００３１】
接地棒保持部２２は、底部２１の中心に設けられ、下側から上側に向かって径が小さくなるようなテーパー孔になっており、その孔径は下側から接地棒３を挿入し、圧入できるように設定されている。接地棒保持部２２をこのようなテーパー孔とすることで、接地棒３を圧入した後は、接地棒３が抜けにくくなり、接地棒３と接地棒保持部２２とは、高い導通性が確保されることになる。
【００３２】
主柱装着部２３は、底部２１の外縁から垂直上方に延びる外周壁２３ａと、その外周壁２３ａより内側で、垂直上方に延びる内周壁２３ｂとで形成される空間部である。また、外周壁２３ａの内面と内周壁２３ｂの外面との距離は、主柱１１の板厚と同じか、わずかに大きく設定されている。このような主柱装着部２３の形状により、底部２１の上面は主柱１１の下面と接触し、外周壁２３ａの内面は主柱１１の下側の外面と接触し、内周壁２３ｂの外面は主柱１１の下側の内面と接触する。すなわち、主柱装着部２３には主柱１１が嵌合し、装着されるようになっている。また、外周壁２３ａの高さおよび内周壁２３ｂの高さは、主柱１１を装着するのに十分な高さであればよく、図２では、その一例として、外周壁２３ａの高さは内周壁２３ｂの高さより低く設定されたものを図示している。
【００３３】
押圧接触部２４は、外周壁２３ａに設けられた２ヶ所の切り込み２４ａの間に位置する外周壁片であり、外周壁２３ａの外周において対向して一対（２つ）設けられる。この押圧接触部２４の内壁面Ｙ１は、その下部Ｙ１ａが底部２１から上に向かって中心に近付き、上部Ｙ１ｂが下部Ｙ１ａの上端から上に向かって中心から遠ざかるようになっている。また、下部Ｙ１ｂが最も中心に近付いた部分では、外周壁２３ａの内周が主柱１１の外周より小さくなるように設定されている。このような押圧接触部２４の形状により、アダプタ２に主柱１１を装着する際には、主柱１１が押圧接触部２４を押し広げ、主柱１１が装着された後は、主柱１１は押圧接触部２４に押圧され接触することになる。そのために、主柱１１が主柱装着部２３に装着された状態で、主柱１１と押圧接触部２４とは密着し、高い導通性が確保されることになる。また、押圧接触部２４の内壁面Ｙ１の上部Ｙ１ｂが、下側から上側に向かって広くなっているため、主柱１１を装着しやすくなっている。
【００３４】
次に、このような構成の防護柵１の接地方法などについて説明する。
【００３５】
まず、主柱１１を接地する場所の地面を掘削し、基礎コンクリート５の上面が地面よりわずかに高くなるように基礎コンクリート５を設置する。この基礎コンクリート５は、筒状で、その空洞部は、主柱１１を挿入するために、主柱１１の外周よりも大きく、主柱１１の挿入方向に延びている。
【００３６】
次に、接地棒３をアダプタ２の接地棒保持部２２に圧入して取り付けた後に、その接地棒３を、基礎コンクリート５の空洞部に挿入して地面に打ち込む。接地棒３を打ち込む深さは、接地棒３のアダプタ２の上端が空洞部の下面より深くならないように、すなわち、接地棒３のアダプタ２の上端がこの空洞部に露出した状態となるようにする。
【００３７】
次に、この空洞部において、主柱１１の下部を、地面に打ち込んだ接地棒３のアダプタ２の主柱装着部２３に、嵌合して装着する。
【００３８】
次に、基礎コンクリート５の空洞部の主柱１１、接地棒３およびアダプタ２との隙間にモルタルを充填し、主柱１１、接地棒３およびアダプタ２を、基礎コンクリート５内で強固に保持する。
【００３９】
このようにして防護柵１を施工すると、接地棒３の上部がアダプタ２の接地棒保持部２２に保持され、さらに、主柱１１の下部がアダプタ２の主柱装着部２３に装着されることになるので、アダプタ２を介して、主柱１１と接地棒３とは導通する。
【００４０】
なお、接地は防護柵のすべての主柱１１に施す必要はないため、接地工事を施す必要がない主柱の施工工事においては、接地棒３の打ち込みは不要である。また、主柱１１の接地の施工の順序は上記に限定されるものではなく、例えば、主柱１１を接地する場所の地面を掘削し、その掘削部に接地棒３を所定の深さまで打ち込んだ後に、基礎コンクリート５を設置するようにしてもよい。
【００４１】
以上のように、この実施の形態１に係る発明によれば、接地線を用いずに、防護柵１を接地することができるので、接地線の誤切断を無くすことができ、また、防護柵１の周囲の草刈作業の際には、作業者が接地線の存在に注意を払う必要がなくなるので、草刈作業の効率化を図ることが可能となる。そして、既存の防護柵１や既存の接地棒３を用いることができるので、防護柵１や接地棒３を設計変更する必要がなく、作業の手順を変更する必要もないので、コストを抑えることができる。しかも、アダプタ２への主柱１１の取り付けは、主柱１１を嵌合して取り付けるだけでよく、アダプタ２への接地棒３の取り付けは、接地棒３を圧入して取り付けるだけでよいため、作業が容易で、既存の接地工事の工数を増加させることない。また、アダプタ２の押圧接触部２４で、主柱１１を押圧した状態で、主柱１１がアダプタ２に装着されるため、主柱１１とアダプタ２との導通性を高め、確実に接地することができる。
【００４２】
（実施の形態２）
図４は、本発明における実施の形態２を示している。上記の実施の形態１では、既存の接地棒３にアダプタ２を取り付けているが、この実施の形態では、実施の形態１における接地棒３とアダプタ２とが一体となった接地棒４を使用する点で、実施の形態１と構成が異なる。すなわち、この接地棒４は、導電性で、接地部４１と、その上部に主柱装着部４２を備えるように、一体に成形されている。接地部４１は、実施の形態１における接地棒３と同等の形状であり、主柱装着部４２は、接地棒保持部２２を備えていない点を除いては実施の形態１におけるアダプタ２と同等の形状である。このような構成の接地棒４は、主柱装着部４２に主柱１１の下部が装着された状態で、接地部４１と主柱１１とが導通するようになる。このように、接地棒４の主柱装着部４２に主柱１１を装着するだけで、防護柵１を容易に接地できる。しかも、接地工事に使用する部材数が増加しないので、既存の接地工事の工数を増加させることも、工程を大きく変更する必要もない。
【００４３】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態１では、接地棒保持部２２の形状を、テーパー孔として説明したが、接地棒３と接地棒保持部２２とをネジ構造で結合するようにすることは勿論可能である。また、主柱装着部２３に主柱１１が装着した状態で、導通性を確保することができれば、外周壁２３ａおよび内周壁２３ｂは、全周に亘る必要はなく、さらに、主柱装着部２３は概略二重円筒形状ではなく、外周壁２３ａまたは内周壁２３ｂだけの概略一重円筒形状とすることも可能である。さらに、主柱装着部２３に主柱１１が装着された状態で密着し、高い導通性が確保されていれば、押圧接触部２４の数は限定されるものではなく、１つであっても、または３つ以上であっても、さらには設けなくてもよい。また、主柱装着部２３の外周壁２３ａの高さおよび内周壁２３ｂの高さは、主柱１１を装着するのに十分な高さであればよく、外周壁２３ａの高さが内周壁２３ｂの高さより高くなっていても、同じ高さであってもよい。
【符号の説明】
【００４４】
１              防護柵
２              防護柵の接地棒用アダプタ
３              接地棒
４              接地棒
１１            主柱
１２            梁（胴縁）
１３            鉄線
１４            金網
１５            有刺鉄線
２１            底部
２２            接地棒保持部
２３            主柱装着部
２４            押圧接触部
２４ａ          切り込み
４１            接地部
４２            主柱装着部
【図１】
2011108457.tif 000003
【図２】
2011108457.tif 000004
【図３】
2011108457.tif 000005
【図４】
2011108457.tif 000006